(57)【要約】【課題】液晶ディスプレイに用いる反射シートであって、消費電力が小さく、発熱が少ない液晶ディスプレイを実現する反射シートを提供する。【解決手段】パターン表面と、パターン表面とは反対側の平坦表面とを有する反射基材１０と、反射基材１０の反射パターン表面上に塗布されている反射ベース層２０と、反射ベース層２０に蒸着により形成されている反射層３０と、反射シートが特定の色になるようにメッシュ数が３００メッシュ以上のスクリーン印刷方式により反射層３０に印刷されている高透光性のカラー層４０と、反射基材１０の平坦面に設けられる粘着層５０と、剥離可能に粘着層５０に粘着されている離型紙６０とが含まれる。【選択図】図２
2011158877.tif 000002
【特許請求の範囲】
【請求項１】
反射シートであって、
パターン表面と該パターン表面とは反対側の平坦表面とを有する反射基材と、
該反射基材のパターン表面上に形成されている反射ベース層と、
該反射ベース層に形成されている反射層と、
該反射シートが特定の色になるように、メッシュ数が３００メッシュ以上のスクリーン印刷方式により該反射層に形成されている高透光性のカラー層と、
該反射基材の平坦表面に設置されている粘着層と、
剥離可能に該粘着層に粘着されている離型紙と、
を含むことを特徴とする、反射シート。
【請求項２】
前記パターン表面上には、突起する角錐状パターンが配列されていることを特徴とする請求項１に記載の反射シート。
【請求項３】
前記反射ベース層には、シリコンが含まれており、該反射ベース層は昇華転写又は塗布により前記パターン表面に形成されていることを特徴とする請求項１に記載の反射シート。
【請求項４】
前記反射層には、アルミニウムが含まれており、該反射層は蒸着により前記反射ベース層に形成されていることを特徴とする請求項１に記載の反射シート。
【請求項５】
前記パターン表面上には、半球状の突起からなるパターンが配列されていることを特徴とする請求項１に記載の反射シート。
【請求項６】
液晶パネルと、バックライトモジュールとを有する液晶ディスプレイであって、
該バックライトモジュールには、少なくとも１つのアクティブ光源と、少なくとも１つの請求項１〜５の何れかに記載の反射シートとが含まれていることを特徴とする液晶ディスプレイ。
【発明の詳細な説明】
【技術分野】
【０００１】
本発明は、高反光性の反射シートに関し、特に、液晶ディスプレイにパッシブ式光源として用いられる反射シートに関する。また、本発明は、この反射シートを有する液晶ディスプレイに関する。
【背景技術】
【０００２】
液晶ディスプレイ（ＬＣＤ  Ｄｉｓｐｌａｙ）などのフラットディスプレイは、情報や画像を表示する装置として、各種の電子装置において広く使用されている。液晶ディスプレイにおいて情報や画像を表示するために、バックライト光源は必要不可欠であり、例えば、冷陰極管ランプや発光ダイオード（ＬＥＤ）ランプが使用されている。
【０００３】
しかし、これらのバックライト光源は、電子装置において大量の電力を消費するとともに、大量の熱を生じさせる。手持ち式や携帯用の電子装置（例えば、ノートパソコンや携帯電話など）において、電力は主に電池により供給されるので、液晶ディスプレイの電力消費量を抑制し、使用時間を延ばすことは大きな課題となっている。また、これらの電子装置では、その軽量化、薄型化及び小型化が進んでおり、それにつれて、液晶ディスプレイをはじめ各種の電子部品は有限な空間に集約されることとなり、熱の発散も解決しなければならない問題となっている。
【０００４】
消費電力が小さく、発熱量の少ない液晶ディスプレイを実現するためには、バックライトモジュールにおける光源の数を減少させることが必要となるが、このためには、優れた反射シートを開発することが必要となる。反射シートとしては、例えば特許文献１に記載されている、表面に突起を有する白色顔料含有層と、その表面に積層された重合体層とを積層した反射シートが知られている。しかしながら、このような従来の反射シートでは、消費電力や発熱量の低減を実現することは困難である。
【先行技術文献】
【特許文献】
【０００５】
【特許文献１】特開２００３−１７３７号公報
【発明の概要】
【発明が解決しようとする課題】
【０００６】
したがって、本発明の目的は、液晶ディスプレイの使用時における消費電力を小さくするとともに、発熱量を少なくすることであり、これを実現可能な反射シートを提供することにある。
【課題を解決するための手段】
【０００７】
本発明の請求項１に係る反射シートは、反射シートであって、パターン表面と該パターン表面とは反対側の平坦表面とを有する反射基材と、該反射基材のパターン表面上に形成されている反射ベース層と、該反射ベース層に形成されている反射層と、該反射シートが特定の色になるように、メッシュ数が３００メッシュ以上のスクリーン印刷方式により該反射層に形成されている高透光性のカラー層と、該反射基材の平坦表面に設置されている粘着層と、剥離可能に該粘着層に粘着されている離型紙と、を含む手段を採用している。
【０００８】
また、本発明の請求項２に係る反射シートは、請求項１に記載の反射シートであって、前記パターン表面上には、突起する角錐状パターンが配列されている手段を採用している。また、本発明の請求項３に係る反射シートは、請求項１に記載の反射シートであって、前記反射ベース層には、シリコンが含まれており、該反射ベース層は昇華転写又は塗布により前記パターン表面に形成されている手段を採用している。
【０００９】
また、本発明の請求項４に係る反射シートは、請求項１に記載の反射シートであって、前記反射層には、アルミニウムが含まれており、該反射層は蒸着により前記反射ベース層に形成されている手段を採用している。また、本発明の請求項５に係る反射シートは、請求項１に記載の反射シートであって、前記パターン表面上には、半球状の突起からなるパターンが配列されている手段を採用している。
【００１０】
また、本発明の請求項６に係る液晶ディスプレイは、液晶パネルと、バックライトモジュールとを有する液晶ディスプレイであって、該バックライトモジュールには、少なくとも１つのアクティブ光源と、少なくとも１つの請求項１〜５の何れかに記載の反射シートとが含まれている手段を採用している。
【発明の効果】
【００１１】
本発明の反射シートは、上記の構成を採用したことにより、非常に優れた反射性能を示し、液晶ディスプレイにおけるアクティブ光源の数を低減し、その消費電力を低減させることができる。同時に、液晶ディスプレイにおける発熱量を低減することができる。
【図面の簡単な説明】
【００１２】
【図１】本発明で用いる反射基材を示す斜視図である。
【図２】本発明の一実施例における反射シートの断面図である。
【図３】本発明の反射シートを含む液晶ディスプレイの分解斜視図である。
【発明を実施するための形態】
【００１３】
図１及び図２を参照しながら本発明の液晶ディスプレイに用いられる反射シートについて詳しく説明する。図１は、本発明の反射シート１で用いる反射基材１０の一例を示す斜視図である。図１に示されているように、反射基材１０のパターン表面上には、突出する角錐エンボス１１が配列されている。なお、本実施例においては、反射基材として角錐のエンボスパターンを有する反射基材を例示しているが、この構成に限らず、他のパターン（例えば半球状の突起からなるパターン）を有する反射基材を本発明の反射シートの反射基材として用いることもできる。
【００１４】
図２は、本発明の１つの好ましい実施例においての液晶ディスプレイに用いられる反射シート１の断面図である。図２に示されているように、本発明の反射シート１には、図１に示されている反射基材１０が含まれており、パターン表面上には、突起する角錐エンボス１１が形成されている。さらに、反射シート１には、昇華転写や塗布により角錐エンボス１１上に形成されている反射ベース層２０が含まれており、それによって反射基材１０の集光特性及び光線の反射性を向上させている。
【００１５】
本実施例において、反射ベース層２０はシリコンを用いて塗布しているが、同等な効果を有する材質であれば、もちろん同様に使用できる。図２に示されているように、本発明の反射シート１には、さらに反射層３０が含まれており、反射層３０は蒸着により反射ベース層２０上に形成され、角錐エンボス１１に鏡面のような効果をもたらす。
【００１６】
従って、反射シート１は、角錐の角度により光線を反射させるだけでなく、鏡のように光線を全反射させる効果も有している。それによって、輝度を向上させることができる。本実施例において、該反射層３０の材質はアルミニウムであるが、同等な光線反射効果を有する材質であれば、もちろん同様に使用できる。
【００１７】
さらに、本発明の反射シート１には、高透光性のカラー層４０が含まれており、このカラー層４０は、スクリーン印刷技術によって角錐エンボス１１上に形成されている。これにより、本発明の反射シート１は、電子装置の色にマッチする特定の色（例えば黒）とすることができる。このカラー層４０の透光性を最大にするために、スクリーン印刷を行う際、メッシュ数が３００メッシュ以上のスクリーン印刷を使用するのが好ましい。これによって、カラー層４０の透光性が最大となり、光源の無駄を回避することができる。
【００１８】
また、本発明の反射シート１には、粘着層５０が含まれており、粘着層５０は反射基材１０のパターン面とは反対側である平坦面に設置されている。そして、この粘着層５０上には、離型紙６０が剥離可能に粘着されている。
【００１９】
次に、図３を参照して、本発明のもう一つの態様である液晶ディスプレイ８０について説明する。液晶ディスプレイ８０は、本発明の反射シート１を有している。図３に示されているように、液晶ディスプレイ８０は、主に、液晶パネル８２と、液晶パネル８２の裏に液晶パネル８２のバックライト光源として設置されているバックライトモジュール８４とを有している。
【００２０】
バックライトモジュール８４の４つの側片のうち、１つの側片にはアクティブ光源８６が設置されており、他の３つの側片には、パッシブ光源として本発明の反射シート１が設けられている。これによって、アクティブ光源８６からこれらの反射シート１に照射した光線を、反射シート１の高反射特性によって有効に反射させ、液晶パネル８２に充分かつ均一な照射光を提供することができる。
【００２１】
一般的に、従来の液晶ディスプレイ装置においては、充分な輝度を提供するために、複数のアクティブ光源（冷陰極管ランプやＬＥＤランプ）を使用している。しかし、これらのアクティブ光源を発光させるには電力の消費が必要であるため、液晶ディスプレイに使用されるアクティブ光源の増加につれ、消費された電力も多くなり、また光源により生じた熱も増大することとなるので、熱の発散において大きな問題がある。
【００２２】
それに対して、本発明の反射シート１は反射光により照明の輝度を提供するので、電力を消費することがなく、発光時においての熱の発生もない。そして、バックライト光源として本発明の反射シート１を含んだ液晶ディスプレイ８０は、従来の液晶ディスプレイと比べて、より少ないアクティブ光源により従来の液晶ディスプレイと同様あるいはそれ以上の輝度を達成できる。
【００２３】
よって、本発明の反射シート１を含む液晶ディスプレイ８０は、電力の消費を大幅に低減することができるとともに、熱の発生を減少させることができる。したがって、従来の液晶ディスプレイにおける消費電力が高いという問題や、発熱量が多いという問題を有効に解決することができる。
【００２４】
このように、本発明の反射シート１及びこの反射シート１を使用した液晶ディスプレイ８０は、従来の反射シート及び従来の液晶ディスプレイよりも優れた作用効果を備えているので、本発明の反射シート１及び液晶ディスプレイ８０は、優れた産業上の利用性を有する発明である。
【００２５】
本発明の反射シート及び液晶ディスプレイの好ましい実施例について、図面を参照して説明したが、本発明は前記説明及び図面の記載に限定されるものではない。前記記載内容により教示された原理及び精神から逸脱しない範囲で、本発明に対して種々変形して実施できる。もちろん、これらのすべての変形は、本発明の請求範囲に含まれるものとする。
【符号の説明】
【００２６】
１    反射シート
１０    反射基材
１１    角錐エンボス
２０    反射ベース層
３０    反射層
４０    カラー層
５０    粘着層
６０    離型紙
８０    液晶ディスプレイ
８２    液晶パネル
８４    バックライトモジュール
８６    アクティブ光源
【図１】
2011158877.tif 000003
【図２】
2011158877.tif 000004
【図３】
2011158877.tif 000005